(57)【要約】【課題】外部の画像表示装置で画像を表示する際において、ポインタの視認性を向上させることが可能な情報処理装置を提供する。【解決手段】ユーザによりＦｎ＋Ｆ８キーが操作されて２画面表示状態に切り替わると、ＣＰＵは、ポインタＰに関するＯＳの設定を一時的に変更してポインタＰを拡大させる。具体的には、ＣＰＵは、その時点でユーザにより設定されているポインタＰ１の情報を、ポインタ情報としてＲＡＭに記憶させるとともに、設定されているポインタＰ１よりも大きなポインタＰ２を一時的に選択する。この結果、液晶ディスプレイ及び外部の画像表示装置の双方には、ユーザに設定されたポインタＰ１よりも大きなポインタＰ２が重畳表示される。【選択図】図４
2009109936.tif 000002
【特許請求の範囲】
【請求項１】
第１の画像表示装置に画像情報を出力してポインタを含む画像を表示させるとともに、ポインティングデバイスから入力される操作信号に応じて前記ポインタを移動させる画像制御部と、
外部に備わる第２の画像表示装置に前記画像情報を出力する画像情報出力部と、
前記画像情報出力部から前記画像情報を出力させるための操作を検出する操作検出部と、
前記操作検出部が前記操作を検出した場合に、前記画像情報出力部から前記画像情報を出力して、前記第２の画像表示装置に前記ポインタを含む画像を表示させる表示状態切替部と、
前記操作検出部が前記操作を検出した場合に、前記ポインタを強調させるポインタ制御部と、
を備えたことを特徴とする情報処理装置。
【請求項２】
請求項１に記載の情報処理装置であって、
前記ポインタ制御部は、前記操作検出部が前記操作を検出した場合に、前記ポインタを拡大することを特徴とする情報処理装置。
【請求項３】
請求項１又は２に記載の情報処理装置であって、
前記操作検出部は、前記画像情報出力部からの前記画像情報の出力を停止させるための操作をも検出し、
前記ポインタ制御部は、当該操作を検出した場合に、前記ポインタの強調を解除することを特徴とする情報処理装置。
【請求項４】
請求項１〜３のいずれか１項に記載の情報処理装置であって、
前記画像情報出力部は、ネットワークを介して前記第２の画像表示装置に前記画像情報を出力することを特徴とする情報処理装置。
【請求項５】
請求項４に記載の情報処理装置であって、
前記ネットワークは無線ネットワークであることを特徴とする情報処理装置。
【請求項６】
画像情報に基づく画像を画像表示装置にスライドショー形式で表示させる情報処理装置であって、
前記画像表示装置に画像情報を出力してポインタを含む画像を表示させるとともに、ポインティングデバイスから入力される操作信号に応じて前記ポインタを移動させる画像制御部と、
スライドショーを開始させるための操作を検出する操作検出部と、
前記操作検出部が前記操作を検出した場合に、前記ポインタを強調させるポインタ制御部と、
を備えたことを特徴とする情報処理装置。
【請求項７】
請求項６に記載の情報処理装置であって、
前記ポインタ制御部は、前記操作検出部が前記操作を検出した場合に、前記ポインタを拡大することを特徴とする情報処理装置。
【請求項８】
請求項６又は７に記載の情報処理装置であって、
前記操作検出部は、前記スライドショーを終了させるための操作をも検出し、
前記ポインタ制御部は、当該操作を検出した場合に、前記ポインタの強調を解除することを特徴とする情報処理装置。
【請求項９】
第１の画像表示装置、及び外部に備わる第２の画像表示装置に画像情報を出力してポインタを含む画像を表示させる情報処理装置の画像表示方法であって、
前記第２の画像表示装置に対して前記画像情報を出力させるための操作を検出する操作検出ステップと、
前記操作検出ステップで前記操作が検出された場合に、前記第２の画像表示装置に対して前記画像情報を出力し、前記第２の画像表示装置に前記ポインタを含む画像を表示させる画像情報出力ステップと、
前記操作検出ステップで前記操作が検出された場合に、前記ポインタを強調させるポインタ強調ステップと、
を備えたことを特徴とする画像表示方法。
【請求項１０】
画像表示装置に画像情報を出力してポインタを含む画像を表示させるとともに、前記画像表示装置にスライドショー形式で画像を表示させる情報処理装置の画像表示方法であって、
スライドショーを開始させるための操作を検出する操作検出ステップと、
前記操作検出ステップで前記操作が検出された場合に、前記ポインタを強調させるポインタ強調ステップと、
を備えたことを特徴とする画像表示方法。
【請求項１１】
第１の画像表示装置、及び外部に備わる第２の画像表示装置に画像情報を出力してポインタを含む画像を表示させるコンピュータに、
前記第２の画像表示装置に対して前記画像情報を出力させるための操作を検出する操作検出ステップと、
前記操作検出ステップで前記操作が検出された場合に、前記第２の画像表示装置に対して前記画像情報を出力し、前記第２の画像表示装置に前記ポインタを含む画像を表示させる画像情報出力ステップと、
前記操作検出ステップで前記操作が検出された場合に、前記ポインタを強調させるポインタ強調ステップと、
を実行させるためのプログラム。
【請求項１２】
画像表示装置に画像情報を出力してポインタを含む画像を表示させるとともに、前記画像表示装置にスライドショー形式で画像を表示させるコンピュータに、
スライドショーを開始させるための操作を検出する操作検出ステップと、
前記操作検出ステップで前記操作が検出された場合に、前記ポインタを強調させるポインタ強調ステップと、
を実行させるためのプログラム。
【発明の詳細な説明】
【技術分野】
【０００１】
本発明は、画像表示装置に画像を表示させる情報処理装置、画像表示方法、及びプログラムに関する。
【背景技術】
【０００２】
パーソナルコンピュータで様々な操作を行う際に、マウス等のポインティングデバイスが多用されている。パーソナルコンピュータのディスプレイ（画像表示装置）に表示される画像にはポインタが含まれており、ユーザは、ポインティングデバイスを操作することによって、ディスプレイに表示されるポインタを任意の位置に動かすことができる。
【０００３】
表示されるポインタの大きさは、通常ドット数で定められているため、解像度の高いディスプレイを用いる場合ほど、ポインタの大きさは相対的に小さくなり、ポインタの視認性が低下してしまう。このため、特許文献１には、ディスプレイの解像度が変わっても、ポインタ（カーソル）が同じ大きさに見えるようにポインタのサイズを修正する画像処理装置が提案されている。
【０００４】
【特許文献１】特開平４−１９９１９０号公報
【発明の開示】
【発明が解決しようとする課題】
【０００５】
一方、ポインタは、本来表示すべき画像（表示画像）の一部を隠してしまうことから、ポインタが大きいほど表示画像の視認性を低下させてしまう。このため、ポインタは、表示画像に対して十分に小さく設定されていることが多く、ユーザがポインタを見失ってしまう事態が生じやすい。ポインタを見失った場合には、ユーザは、例えばポインタを左右に素早く動かす操作等を行うことによってポインタの位置を素早く認識することができる。
【０００６】
ところで、プレゼンテーションを行う場合のように、大画面表示が可能な画像表示装置（例えば、プロジェクタ）をパーソナルコンピュータに接続し、パーソナルコンピュータが出力する画像を大画面で多くの聴衆に見せている場合において、説明者は、ポインタによって画像中の特定の位置を聴衆に注目させることができる。しかしながら、聴衆がポインタを見失った際には、自らの意思でポインタを動かすことができないため、ポインタの位置を認識するまでに時間がかかってしまうという問題を有している。
【課題を解決するための手段】
【０００７】
本発明は、上述の課題の少なくとも一部を解決するためになされたものであり、以下の形態又は適用例として実現することが可能である。
【０００８】
［適用例１］本適用例に係る情報処理装置は、第１の画像表示装置に画像情報を出力してポインタを含む画像を表示させるとともに、ポインティングデバイスから入力される操作信号に応じて前記ポインタを移動させる画像制御部と、外部に備わる第２の画像表示装置に前記画像情報を出力する画像情報出力部と、前記画像情報出力部から前記画像情報を出力させるための操作を検出する操作検出部と、前記操作検出部が前記操作を検出した場合に、前記画像情報出力部から前記画像情報を出力して、前記第２の画像表示装置に前記ポインタを含む画像を表示させる表示状態切替部と、前記操作検出部が前記操作を検出した場合に、前記ポインタを強調させるポインタ制御部と、を備えたことを特徴とする。
【０００９】
この情報処理装置によれば、外部に備わる第２の画像表示装置に画像を表示させる操作を検出した場合に、ポインタ制御部がポインタを強調させるようにしているため、第２の画像表示装置に表示される画像を、ポインティングデバイスを操作するユーザ以外のユーザが見る場合において、ポインタの視認性を向上することが可能となる。
【００１０】
［適用例２］上記適用例に係る情報処理装置において、前記ポインタ制御部は、前記操作検出部が前記操作を検出した場合に、前記ポインタを拡大するようにしてもよい。
【００１１】
［適用例３］上記適用例に係る情報処理装置において、前記操作検出部は、前記画像情報出力部からの前記画像情報の出力を停止させるための操作をも検出し、前記ポインタ制御部は、当該操作を検出した場合に、前記ポインタの強調を解除することが望ましい。
【００１２】
この情報処理装置によれば、第２の画像表示装置に対する画像情報の出力を停止させるための操作を検出した場合に、ポインタ制御部がポインタの強調を解除するようにしているため、ポインタの強調をユーザが自ら解除する必要がなくなる。
【００１３】
［適用例４］上記適用例に係る情報処理装置において、前記画像情報出力部は、ネットワークを介して前記第２の画像表示装置に前記画像情報を出力するようにしてもよい。
【００１４】
この情報処理装置によれば、画像情報出力部がネットワークを介して画像情報を出力する構成であるため、映像ケーブルを介して出力する構成に比べて、情報処理装置及び第２の画像表示装置の配置が映像ケーブルの長さによって制限されることがなくなり、レイアウトの自由度が高まる。
【００１５】
［適用例５］上記適用例に係る情報処理装置において、前記ネットワークは無線ネットワークであることが望ましい。
【００１６】
この情報処理装置によれば、画像出力部が無線ネットワークを介して画像情報を出力する構成であるため、情報処理装置と第２の画像表示装置とのケーブル接続が不要となり、レイアウトの自由度がさらに高まる。
【００１７】
［適用例６］本適用例に係る情報処理装置は、画像情報に基づく画像を画像表示装置にスライドショー形式で表示させる情報処理装置であって、前記画像表示装置に画像情報を出力してポインタを含む画像を表示させるとともに、ポインティングデバイスから入力される操作信号に応じて前記ポインタを移動させる画像制御部と、スライドショーを開始させるための操作を検出する操作検出部と、前記操作検出部が前記操作を検出した場合に、前記ポインタを強調させるポインタ制御部と、を備えたことを特徴とする。
【００１８】
この情報処理装置によれば、スライドショーを開始させるための操作を検出した場合に、ポインタ制御部がポインタを強調させるようにしているため、表示される画像（スライド）を、ポインティングデバイスを操作するユーザ以外のユーザが見る場合において、ポインタの視認性を向上することが可能となる。
【００１９】
［適用例７］上記適用例に係る情報処理装置において、前記ポインタ制御部は、前記操作検出部が前記操作を検出した場合に、前記ポインタを拡大するようにしてもよい。
【００２０】
［適用例８］上記適用例に係る情報処理装置において、前記操作検出部は、前記スライドショーを終了させるための操作をも検出し、前記ポインタ制御部は、当該操作を検出した場合に、前記ポインタの強調を解除することが望ましい。
【００２１】
この情報処理装置によれば、スライドショーを終了させるための操作を検出した場合に、ポインタ制御部がポインタの強調を解除するようにしているため、スライドショーの終了後にユーザが自らポインタの強調を解除する必要がなくなる。
【００２２】
［適用例９］本適用例に係る画像表示方法は、第１の画像表示装置、及び外部に備わる第２の画像表示装置に画像情報を出力してポインタを含む画像を表示させる情報処理装置の画像表示方法であって、前記第２の画像表示装置に対して前記画像情報を出力させるための操作を検出する操作検出ステップと、前記操作検出ステップで前記操作が検出された場合に、前記第２の画像表示装置に対して前記画像情報を出力し、前記第２の画像表示装置に前記ポインタを含む画像を表示させる画像情報出力ステップと、前記操作検出ステップで前記操作が検出された場合に、前記ポインタを強調させるポインタ強調ステップと、を備えたことを特徴とする。
【００２３】
この画像表示方法によれば、外部に備わる第２の画像表示装置に画像を表示させる操作を検出した場合に、ポインタを強調させるようにしているため、第２の画像表示装置に表示される画像を、ポインティングデバイスを操作するユーザ以外のユーザが見る場合において、ポインタの視認性を向上することが可能となる。
【００２４】
［適用例１０］本適用例に係る画像表示方法は、画像表示装置に画像情報を出力してポインタを含む画像を表示させるとともに、前記画像表示装置にスライドショー形式で画像を表示させる情報処理装置の画像表示方法であって、スライドショーを開始させるための操作を検出する操作検出ステップと、前記操作検出ステップで前記操作が検出された場合に、前記ポインタを強調させるポインタ強調ステップと、を備えたことを特徴とする。
【００２５】
この画像表示方法によれば、スライドショーを開始させるための操作を検出した場合に、ポインタを強調させるようにしているため、表示される画像（スライド）を、ポインティングデバイスを操作するユーザ以外のユーザが見る場合において、ポインタの視認性を向上することが可能となる。
【００２６】
［適用例１１］本適用例に係るプログラムは、第１の画像表示装置、及び外部に備わる第２の画像表示装置に画像情報を出力してポインタを含む画像を表示させるコンピュータに、前記第２の画像表示装置に対して前記画像情報を出力させるための操作を検出する操作検出ステップと、前記操作検出ステップで前記操作が検出された場合に、前記第２の画像表示装置に対して前記画像情報を出力し、前記第２の画像表示装置に前記ポインタを含む画像を表示させる画像情報出力ステップと、前記操作検出ステップで前記操作が検出された場合に、前記ポインタを強調させるポインタ強調ステップと、を実行させる。
【００２７】
このプログラムによれば、外部に備わる第２の画像表示装置に画像を表示させる操作を検出した場合に、ポインタを強調させるようにしているため、第２の画像表示装置に表示される画像を、ポインティングデバイスを操作するユーザ以外のユーザが見る場合において、ポインタの視認性を向上することが可能となる。
【００２８】
［適用例１２］本適用例に係るプログラムは、画像表示装置に画像情報を出力してポインタを含む画像を表示させるとともに、前記画像表示装置にスライドショー形式で画像を表示させるコンピュータに、スライドショーを開始させるための操作を検出する操作検出ステップと、前記操作検出ステップで前記操作が検出された場合に、前記ポインタを強調させるポインタ強調ステップと、を実行させる。
【００２９】
このプログラムによれば、スライドショーを開始させるための操作を検出した場合に、ポインタを強調させるようにしているため、表示される画像（スライド）を、ポインティングデバイスを操作するユーザ以外のユーザが見る場合において、ポインタの視認性を向上することが可能となる。
【００３０】
また、上記形態及び上記適用例は、前記プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、情報処理装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００３１】
（第１実施形態）
以下、第１実施形態の情報処理装置であるパーソナルコンピュータ（以降、単に「コンピュータ」ともいう。）について説明する。
図１は、本実施形態のコンピュータを示す斜視図である。
図１に示すように、コンピュータ１は、ノート型のパーソナルコンピュータであり、画像表示装置である液晶ディスプレイ１６、入力装置であるキーボード２０、及びポインティングデバイスであるタッチパッド２１を一体的に備えて構成されている。また、コンピュータ１には、各種インターフェイスが備えられており、外付け（外部）の画像表示装置２や外付けのマウス３０を接続可能になっている。なお、プレゼンテーションを行う場合のように、表示する画像を多くの聴衆に示す場合には、大画面での画像表示が可能な画像表示装置２（例えば、プロジェクタ）が映像ケーブル等を介して接続される。
【００３２】
図２は、コンピュータ１の回路構成を示すブロック図である。
図２に示すように、コンピュータ１は、ＣＰＵ（Central Processing Unit）１１、２つのブリッジ回路（ノースブリッジ１２、及びサウスブリッジ１３）、ＲＡＭ（Random Access Memory）１４、ビデオコントローラ１５、液晶ディスプレイ１６、ハードディスクドライブ１７、光ディスクドライブ１８、ＢＩＯＳ（Basic Input/Output System）が書き込まれたＢＩＯＳ−ＲＯＭ（Read Only Memory）１９、キーボード２０、タッチパッド２１等を備えている。
【００３３】
ＣＰＵ１１は、ＢＩＯＳ−ＲＯＭ１９に書き込まれたＢＩＯＳ、或いはＲＡＭ１４に読み出された各種プログラムに従って動作することにより、コンピュータ１の動作を統括制御する。
【００３４】
ノースブリッジ１２は、ＣＰＵ１１とサウスブリッジ１３との間のブリッジ処理、ＲＡＭ１４の制御、及びビデオコントローラ１５の制御等を行う。ＲＡＭ１４は、ＤＲＡＭ（Dynamic RAM）で構成され、ハードディスクドライブ１７から読み出されたＯＳ（Operating System）やアプリケーションプログラム等を記憶する。また、ＲＡＭ１４は、プログラム実行中における各種データの一時記憶等に用いられる。
【００３５】
ビデオコントローラ１５は、液晶ディスプレイ１６に対する画像表示を制御する。ビデオコントローラ１５は、ＯＳやアプリケーションプログラムを実行するＣＰＵ１１の指示に基づいて画像情報を生成し、生成した画像情報を液晶ディスプレイ１６に出力して、液晶ディスプレイ１６に画像を表示させる。また、ビデオコントローラ１５は、画像出力端子１５ａを介して外部の画像表示装置２に画像情報を出力可能になっており、ユーザの操作に応じて、液晶ディスプレイ１６にのみ画像を表示させる１画面表示状態と、画像出力端子１５ａから画像情報を出力させて、液晶ディスプレイ１６及び画像表示装置２の双方に画像を表示させる２画面表示状態とを切り替えることができる。
【００３６】
サウスブリッジ１３には、各種インターフェイス回路が内蔵されており、ハードディスクドライブ１７、光ディスクドライブ１８、ＢＩＯＳ−ＲＯＭ１９、キーボード２０、タッチパッド２１等が接続されている。ハードディスクドライブ１７は、インストールされたＯＳやプリケーションプログラム、各種データ等を記憶する。光ディスクドライブ１８は、ＣＤ（Compact Disc）やＤＶＤ（Digital Versatile Disc）等の光ディスクからのデータの読み出しや、光ディスクへのデータの書き込みを行う。
【００３７】
ＢＩＯＳ−ＲＯＭ１９には、ＢＩＯＳが格納されている。ＢＩＯＳは、コンピュータ１の起動時にＣＰＵ１１によって読み出されて各種初期化処理やＯＳの起動を行うプログラムとともに、ビデオコントローラ１５、ハードディスクドライブ１７、キーボード２０等の入出力デバイスを制御するプログラムを含んでおり、これら入出力デバイスに対する基本的な入出力制御をＯＳやアプリケーションプログラムに提供する。ＯＳやアプリケーションプログラムを実行するＣＰＵ１１は、直接、或いはＢＩＯＳを介してこれらの入出力デバイスとの入出力を行うことができる。
【００３８】
キーボード２０は、キー操作によって文字や制御コード等を入力するための入力装置であり、タッチパッド２１は、液晶ディスプレイ１６等に表示されるポインタの移動操作やクリック操作等を行うためのポインティングデバイスである。キーボード２０及びタッチパッド２１は、ユーザによってなされた操作に基づく操作信号をサウスブリッジ１３に出力し、サウスブリッジ１３は、この操作信号をノースブリッジ１２を介してＣＰＵ１１に伝達する。
【００３９】
また、サウスブリッジ１３は、図示しないＵＳＢ（Universal Serial Bus）インターフェイスを備えており、ＵＳＢ端子１３ａを介して外部の入出力装置と接続可能になっている。このＵＳＢ端子１３ａに、外付けポインティングデバイスであるマウス３０を接続すれば、ユーザは、内蔵するタッチパッド２１の代わりにマウス３０を用いて各種操作を行うことが可能となる。
【００４０】
上述したように、本実施形態のコンピュータ１は、ビデオコントローラ１５からの画像情報の出力状態（画像の表示状態）を、ユーザの操作によって切り替えることが可能になっている。具体的には、キーボード２０に備わるＦｎキー及びＦ８キーをユーザが同時に押下（操作）すると、ＣＰＵ１１は、ＢＩＯＳによってこの操作を検出する。そして、ＢＩＯＳに従ってビデオコントローラ１５に指示をして、画像情報の出力状態を切り替えさせる。ビデオコントローラ１５は、コンピュータ１の起動直後には、液晶ディスプレイ１６にのみ画像情報を出力する１画面表示状態になっており、この状態でＦｎキーとＦ８キーとが同時に操作されると、ビデオコントローラ１５は、画像出力端子１５ａに対しても画像情報を出力し、外部の画像表示装置２にも画像が表示される２画面表示状態に切り替える。この状態でさらにＦｎキーとＦ８キーとが同時に操作されると、ビデオコントローラ１５は、液晶ディスプレイ１６にのみ画像情報を出力する１画面表示状態に復帰する。
【００４１】
本実施形態のコンピュータ１は、上記のような構成を有しており、コンピュータ１に電源が投入されると、ＣＰＵ１１は、ＢＩＯＳ−ＲＯＭ１９に記憶されているＢＩＯＳに従ってブート処理を行い、ハードディスクドライブ１７に記憶されているＯＳを起動し（ＲＡＭ１４に読み込み）、ＯＳに従った動作処理を開始する。そしてＣＰＵ１１は、ビデオコントローラ１５に指示をして液晶ディスプレイ１６に所定の画像（初期画面）を表示させる。
【００４２】
本実施形態のコンピュータ１に採用されているＯＳは、ＧＵＩ（Graphical User Interface）を備えたものであり、ユーザは、タッチパッド２１やマウス３０等のポインティングデバイスを操作することによってコンピュータ１に各種指示を与えることが可能になっている。ＯＳが起動すると、ＣＰＵ１１は、ビデオコントローラ１５に指示をして、液晶ディスプレイ１６に表示されている画像上にポインタＰを重畳表示させる（図１参照）。ＯＳには、タッチパッド２１やマウス３０と通信を行うためのデバイスドライバが含まれており、ＣＰＵ１１は、このデバイスドライバによってタッチパッド２１やマウス３０になされた移動操作やクリック操作を検出することができる。そして、タッチパッド２１やマウス３０に対して移動操作がなされると、ＣＰＵ１１は、ポインタＰを重畳させる位置を、ユーザの移動操作に応じて変更させることにより、ポインタＰを移動させる。なお、表示されるポインタＰの大きさは、ＯＳによって変更可能になっている。ＯＳには、大小様々なポインタＰが画像データとして格納されており、ユーザはその中から所望の大きさのポインタＰを選択して設定することができる。
【００４３】
ＯＳの起動が完了すると、コンピュータ１は、アプリケーションプログラムの起動が可能な状態となり、ユーザは、キーボード２０、タッチパッド２１、或いはマウス３０等を操作して所望のアプリケーションプログラムの起動を指示することができる。アプリケーションプログラムの起動が指示された場合には、ＣＰＵ１１は、指示されたアプリケーションプログラムをハードディスクドライブ１７からＲＡＭ１４に読み込んで、このアプリケーションプログラムに従った動作処理を開始する。また、ユーザの操作によらずに自動的に起動すべきアプリケーションプログラムがＯＳに登録されている場合には、ＣＰＵ１１は、ＯＳの起動完了後にこれらのアプリケーションプログラムを自動的に起動させるようになっている。本実施形態では、ポインタＰの大きさを制御する常駐型のアプリケーションプログラム（ポインタ制御ユーティリティ）が自動起動するように登録されている。
【００４４】
ポインタ制御ユーティリティは、ユーザによるＦｎキーとＦ８キーとの同時操作（以降、「Ｆｎ＋Ｆ８キーの操作」と表記する。）を監視し、Ｆｎ＋Ｆ８キーが操作された場合には、ＢＩＯＳによる表示状態の切り替えと連動して、ポインタＰの大きさを変更する機能を有している。
【００４５】
図３は、ポインタ制御ユーティリティに基づく動作処理を説明するためのフローチャートである。また、図４（ａ）、（ｂ）は、Ｆｎ＋Ｆ８キーが操作された場合の動作を説明するための説明図であり、液晶ディスプレイ１６及び外部の画像表示装置２の表示状態を示している。
【００４６】
ポインタ制御ユーティリティが起動した状態でＦｎ＋Ｆ８キーの操作がなされて、ＣＰＵ１１がＢＩＯＳによってこの操作を検出すると、ＣＰＵ１１は、上述したように、ＢＩＯＳに従って画像の表示状態を切り替える。さらに、ＣＰＵ１１は、Ｆｎ＋Ｆ８キーの操作を検出すると、ポインタ制御ユーティリティに従って、図３に示すフローのように動作する。
【００４７】
図３に示すように、ステップＳ１０１では、ＣＰＵ１１は、ビデオコントローラ１５から現在の表示状態を表す情報を取得し、Ｆｎ＋Ｆ８キーの操作がなされたことによって１画面表示状態から２画面表示状態に切り替わったのか、或いは２画面表示状態から１画面表示状態に復帰したのかを判断する。この結果、Ｆｎ＋Ｆ８キーの操作によって２画面表示状態に切り替わった場合にはステップＳ１０２に移行し、１画面表示状態に復帰した場合にはステップＳ１０３に移行する。
【００４８】
Ｆｎ＋Ｆ８キーの操作によって２画面表示状態に切り替わってステップＳ１０２に移行した場合、即ち図４（ａ）の状態から図４（ｂ）の状態に移行した場合には、ＣＰＵ１１は、ポインタＰに関するＯＳの設定を一時的に変更してポインタＰを拡大させ、フローを終了する。具体的には、ＣＰＵ１１は、その時点でユーザにより設定されているポインタＰ１（図４（ａ）参照）の情報を、ポインタ情報としてＲＡＭ１４に記憶させるとともに、設定されているポインタＰ１よりも大きなポインタＰ２を一時的に選択する。この結果、液晶ディスプレイ１６及び画像表示装置２の双方には、ユーザに設定されたポインタＰ１よりも大きなポインタＰ２が重畳表示される（図４（ｂ）参照）。
【００４９】
一方、Ｆｎ＋Ｆ８キーの操作によって１画面表示状態に復帰してステップＳ１０３に移行した場合、即ち図４（ｂ）の状態から図４（ａ）の状態に移行した場合には、ＣＰＵ１１は、ポインタＰの大きさを元の大きさ（ユーザに設定されている大きさ）に戻す設定をＯＳに施してフローを終了する。具体的には、ＣＰＵ１１は、ＲＡＭ１４に記憶されているポインタ情報を読み出して、このポインタ情報に基づくポインタＰをＯＳに設定する。この結果、液晶ディスプレイ１６に重畳表示されるポインタＰは、ユーザによって設定された大きさのポインタＰ１に復帰する。なお、２画面表示状態のときにポインタ制御ユーティリティを起動させた場合を想定すると、最初のＦｎ＋Ｆ８キーの操作によって１画面表示状態に復帰する際には、ＲＡＭ１４にポインタ情報が記憶されていないことになるが、この場合には、本ステップをスキップすればよい。
【００５０】
以上説明したように、本実施形態のコンピュータ１によれば、以下の効果を得ることができる。
【００５１】
（１）本実施形態のコンピュータ１によれば、外部の画像表示装置２に画像情報を出力させる操作、即ち２画面表示状態に移行させるための操作（Ｆｎ＋Ｆ８キーの操作）を検出した場合に、ポインタＰを拡大させるようにしているため、画像表示装置２に表示される画像を、ポインティングデバイス（タッチパッド２１、或いはマウス３０）を操作するユーザ以外のユーザが見る場合において、ポインタＰの視認性を向上することが可能となる。
【００５２】
（２）本実施形態のコンピュータ１によれば、画像表示装置２に対する画像情報の出力を停止させる操作、即ち１画面表示状態に復帰するための操作（Ｆｎ＋Ｆ８キーの操作）を検出した場合に、ポインタＰの大きさを元に戻す（ポインタＰの拡大を解除する）ようにしているため、ユーザが自らポインタＰの設定を変更する必要がなくなる。
【００５３】
なお、本実施形態では、ポインタＰを含む画像を表示させる際のＣＰＵ１１及びビデオコントローラ１５が画像制御部に相当し、ＢＩＯＳの機能によって画像の表示状態を１画面表示状態又は２画面表示状態に切り替える際のＣＰＵ１１及びビデオコントローラ１５が表示状態切替部に相当する。また、ポインタ制御ユーティティの機能によってポインタＰの大きさを変更する際のＣＰＵ１１がポインタ制御部に相当し、Ｆｎ＋Ｆ８キーを検出する際のＣＰＵ１１が、操作検出部に相当する。また、画像表示装置２に画像情報を出力するビデオコントローラ１５及び画像出力端子１５ａが画像情報出力部に相当する。
【００５４】
また、コンピュータ１のソフトウェア構成は、上記に限定されない。例えば、１画面表示状態と２画面表示状態との切り替えを、ＢＩＯＳの代わりにＯＳやアプリケーションプログラムで行うようにしてもよい。また、Ｆｎ＋Ｆ８キーの操作を検出してポインタＰを拡大させる機能をＯＳに持たせるようにして、専用のアプリケーションプログラム（ポインタ制御ユーティリティ）が不要な構成とすることも可能である。
【００５５】
また、本実施形態では、Ｆｎ＋Ｆ８キーの操作によって１画面表示状態と２画面表示状態の２つの表示状態を切り替え可能な態様を示しているが、画像表示装置２にのみ画像を表示する表示状態や、液晶ディスプレイ１６及び画像表示装置２の双方に画像を表示させない表示状態等に切り替え可能であってもよい。いずれの態様であっても、画像表示装置２に画像が表示される表示状態に切り替わる際に、ポインタＰを拡大するようにすればよい。なお、表示状態を切り替えるための操作は、ＦｎキーとＦ８キーの同時操作に限定されない。
【００５６】
（第２実施形態）
以下、第２実施形態のコンピュータについて説明する。
図５は、本実施形態のコンピュータを示す斜視図であり、図６は、本実施形態のコンピュータの回路構成を示すブロック図である。
図５に示すように、本実施形態のコンピュータ１は、外部の画像表示装置２との間で映像ケーブルによる接続がなされておらず、無線通信によって画像情報を供給するようになっている。
図６に示すように、本実施形態のコンピュータ１のサウスブリッジ１３には、外部の装置との間で無線ＬＡＮ（Local Area Network）によるネットワーク通信を行うための無線ＬＡＮデバイス４０が接続されており、コンピュータ１は、同じく無線ＬＡＮによるネットワーク通信が可能な画像表示装置２（例えば、プロジェクタ）に対して、無線ＬＡＮによって画像情報を供給（送信）する。また、ハードディスクドライブ１７には、画像表示装置２と無線ＬＡＮ接続を行って画像情報の供給を行うためのアプリケーションプログラム（無線ＬＡＮ接続ツール）が記憶されている。上記以外の回路構成については、前記第１実施形態と共通である。
【００５７】
ＯＳが起動した状態のコンピュータ１に対して、ユーザが無線ＬＡＮ接続ツールの起動を指示すると、ＣＰＵ１１は、ハードディスクドライブ１７に記憶されている無線ＬＡＮ接続ツールをＲＡＭ１４に読み出して、このプログラムに従って動作する。
【００５８】
図７〜図９は、無線ＬＡＮ接続ツールに基づく動作処理を説明するためのフローチャートであり、図１０〜図１２及び図１３（ａ）〜（ｄ）は、無線ＬＡＮ接続ツールに基づく動作処理を説明するための説明図である。
【００５９】
無線ＬＡＮ接続ツールが起動すると、ＣＰＵ１１は、図７に示すフローに従って動作し、まず、液晶ディスプレイ１６にモード選択画面Ｗ１（図１０参照）を表示させて無線ＬＡＮのアクセスモードをユーザに選択させる（ステップＳ２０１）。モード選択画面Ｗ１では、アクセスポイントを介して複数の画像表示装置２と接続が可能な「インフラストラクチャモード」と、アクセスポイントを介さずに１対１で通信を行う「アドホックモード」とが選択可能になっており、ユーザは、モード選択画面Ｗ１に備わるラジオボタンＲＢをクリック操作することによっていずれか１つのアクセスモードを選択することができる。
【００６０】
ユーザによりアクセスモードが選択され、モード選択画面Ｗ１に備わるＯＫボタンＢ１がクリック操作されると、ＣＰＵ１１は、無線ＬＡＮデバイス４０によりブロードキャストを行って、無線ＬＡＮ接続が可能な画像表示装置２を検索する（ステップＳ２０２）。その後、ＣＰＵ１１は、この検索結果を含んだ接続画面Ｗ２（図１１、図１３（ａ）参照）を、液晶ディスプレイ１６に表示させる（ステップＳ２０３）。図１１に示すように、接続画面Ｗ２には、検索された画像表示装置２の一覧ＤＬが表示されており、この一覧ＤＬには、各画像表示装置２のステータス、装置名、ＩＰアドレスが含まれている。また一覧ＤＬには、検索された画像表示装置２毎にチェックボックスＣＢが付されており、ユーザは、このチェックボックスＣＢをクリック操作することによって接続対象とすべき画像表示装置２を指定することができる。なお、アクセスモードにアドホックモードが選択されている場合には、ユーザは、１台の画像表示装置２のみを指定可能であり、アクセスモードにインフラストラクチャモードが選択されている場合には、ユーザは、複数台の画像表示装置２を指定することができる。接続画面Ｗ２に右下には、接続ボタンＢ２が備えられており、ユーザは、接続すべき画像表示装置２を指定した後で接続ボタンＢ２をクリック操作することにより、指定した画像表示装置２との無線ＬＡＮ接続を行うことができる。
【００６１】
ユーザにより接続ボタンＢ２がクリック操作されて、ＣＰＵ１１がマウスドライバによってこの操作を検出すると、ＣＰＵ１１は、図８に示すフローに従って動作する。まず、ＣＰＵ１１は、選択された画像表示装置２との無線ＬＡＮ接続を実行する（ステップＳ２１１）。具体的には、ＣＰＵ１１は、指定された画像表示装置２に対して、無線ＬＡＮデバイス４０から接続要求コマンドを送信する。画像表示装置２がこの接続要求コマンドに応答して、接続を許可する接続応答コマンドをコンピュータ１に送信し、コンピュータ１の無線ＬＡＮデバイス４０がこれを受信すると、コンピュータ１と画像表示装置２との無線ＬＡＮ接続が確立する。
【００６２】
無線ＬＡＮ接続が確立すると、ＣＰＵ１１は、ビデオコントローラ１５に指示をして、接続画面Ｗ２を消去させるとともに、液晶ディスプレイ１６にツールバーＷ３（図１２、図１３（ｂ）参照）を表示させる（ステップＳ２１２）。
【００６３】
その後、ＣＰＵ１１は、ポインタＰに関するＯＳの設定を一時的に変更して、図１３（ｃ）に示すように、ポインタＰの大きさを拡大させる（ステップＳ２１３）。具体的には、ＣＰＵ１１は、その時点でユーザにより設定されているポインタＰ１の情報を、ポインタ情報としてＲＡＭ１４に記憶させるとともに、設定されているポインタＰ１よりも大きなポインタＰ２を一時的に選択する。
【００６４】
その後、ＣＰＵ１１は、画像表示装置２に対して、無線ＬＡＮによる画像情報の供給を開始する（ステップＳ２１４）。これ以降、ＣＰＵ１１は、ビデオコントローラ１５が液晶ディスプレイ１６に表示させる画像を順次キャプチャし、この画像を画像情報として無線ＬＡＮデバイス４０から画像表示装置２に送信する。この結果、図１３（ｄ）に示すように、画像表示装置２は、コンピュータ１から送信される画像情報に応じた画像の表示を開始する。そして、その画像には、無線ＬＡＮ接続が確立する前のポインタＰ１よりも大きなポインタＰ２が含まれる。なお、無線ＬＡＮ接続ツールは、ツールバーＷ３を含まない画像をキャプチャさせるようになっており、画像表示装置２が表示する画像には、ツールバーＷ３は含まれない。
【００６５】
液晶ディスプレイ１６に表示されるツールバーＷ３には、図１２に示すように、画像表示装置２の表示状態を制御するための各種ボタンとともに、無線ＬＡＮ接続を切断するための切断ボタンＢ３が含まれており、ユーザは、切断ボタンＢ３をクリック操作することによって画像表示装置２との無線ＬＡＮ接続を切断することができる。
【００６６】
ユーザにより切断ボタンＢ３がクリック操作されて、ＣＰＵ１１がマウスドライバによってこの操作を検出すると、ＣＰＵ１１は、図９に示すフローに従って動作する。まず、ＣＰＵ１１は、画像表示装置２に対する画像情報の供給を停止して（ステップＳ２２１）、画像表示装置２による画像の表示を停止させる（図１３（ｃ）参照）。その後、ＣＰＵ１１は、画像表示装置２との無線ＬＡＮ接続を切断する（ステップＳ２２２）。具体的には、ＣＰＵ１１は、無線ＬＡＮ接続されている画像表示装置２に対して、無線ＬＡＮデバイス４０から切断要求コマンドを送信する。画像表示装置２がこの切断要求コマンドに応じて所定の切断処理を施した後で、処理が完了したことを示す切断完了コマンドをコンピュータ１に送信し、コンピュータ１の無線ＬＡＮデバイス４０がこれを受信すると、コンピュータ１と画像表示装置２との無線ＬＡＮ接続が切断される。
【００６７】
次いで、ＣＰＵ１１は、ポインタＰの大きさを元の大きさ（ユーザに設定されている大きさ）に戻す設定をＯＳに施す（ステップＳ２２３）。具体的には、ＣＰＵ１１は、ＲＡＭ１４に記憶されているポインタ情報を読み出して、このポインタ情報に基づくポインタＰをＯＳに設定する。この結果、液晶ディスプレイ１６に重畳表示されるポインタＰは、ユーザによって設定された大きさのポインタＰ１に復帰する（図１３（ｂ）参照）。
【００６８】
その後、ＣＰＵ１１は、図１３（ａ）に示すように、ビデオコントローラ１５に指示をして、ツールバーＷ３を消去させるとともに、液晶ディスプレイ１６に接続画面Ｗ２を表示させ（ステップＳ２２４）、フローを終了する。接続画面Ｗ２が表示された状態では、ユーザは、画像表示装置２を指定して接続ボタンＢ２をクリック操作することにより、新たな無線ＬＡＮ接続を行うことができる。また、接続画面Ｗ２の右上に備わる終了ボタンＢＥ（図１１参照）がユーザによりクリック操作された場合には、ＣＰＵ１１は、無線ＬＡＮ接続ツールを終了させる。
【００６９】
以上説明したように、本実施形態のコンピュータ１によれば、以下の効果を得ることができる。
【００７０】
（１）本実施形態のコンピュータ１によれば、外部の画像表示装置２に画像情報を出力させる操作、即ち画像表示装置２と無線ＬＡＮ接続を行うための接続ボタンＢ２のクリック操作を検出した場合に、ポインタＰを拡大させるようにしているため、画像表示装置２に表示される画像を、ポインティングデバイス（タッチパッド２１、或いはマウス３０）を操作するユーザ以外のユーザが見る場合において、ポインタＰの視認性を向上することが可能となる。
【００７１】
（２）本実施形態のコンピュータ１によれば、画像表示装置２に対する画像情報の出力を停止させる操作、即ち無線ＬＡＮ接続を切断するための切断ボタンＢ３のクリック操作を検出した場合に、ポインタＰの大きさを元に戻す（ポインタＰの拡大を解除する）ようにしているため、ユーザが自らポインタＰの設定を変更する必要がなくなる。
【００７２】
（３）本実施形態のコンピュータ１によれば、外部の画像表示装置２に対して無線ネットワーク（無線ＬＡＮ）を介して画像情報を出力する構成であるため、コンピュータ１と画像表示装置２とのケーブル接続が不要となり、レイアウトの自由度が高まる。
【００７３】
なお、本実施形態では、ポインタＰを含む画像を表示させる際のＣＰＵ１１及びビデオコントローラ１５が画像制御部に相当する。また、無線ＬＡＮ接続ツールの機能によってポインタＰの大きさを変更する際のＣＰＵ１１がポインタ制御部に相当し、無線ＬＡＮ接続ツールの機能によって画像表示装置２に画像情報の供給やその停止を行う際のＣＰＵ１１が表示状態切替部に相当し、接続ボタンＢ２及び切断ボタンＢ３のクリック操作を検出する際のＣＰＵ１１が操作検出部に相当する。また、無線ＬＡＮによって画像表示装置２に画像情報を出力する無線ＬＡＮデバイス４０が画像情報出力部に相当する。
【００７４】
また、コンピュータ１のソフトウェア構成は、上記に限定されない。例えば、無線ＬＡＮ接続やその切断を行うための操作を検出してポインタＰを拡大させる機能をＯＳに持たせるようにして、専用のアプリケーションプログラム（無線ＬＡＮ接続ツール）が不要な構成とすることも可能である。
【００７５】
また、本実施形態では、無線ネットワークを介して画像情報を出力する構成を示しているが、有線ネットワークを介して出力する構成にすることも可能である。この場合でも、映像ケーブルを介して画像情報を出力する構成に比べれば、コンピュータ１及び画像表示装置２の配置が映像ケーブルの長さによって制限されることがなくなり、レイアウトの自由度が高まる。
【００７６】
（第３実施形態）
以下、第３実施形態のコンピュータについて説明する。
本実施形態のコンピュータ１は、前記第１実施形態と同様の回路構成を有しており（図２参照）、そのハードディスクドライブ１７には、プレゼンテーション用の資料（ファイル）を作成したり、プレゼンテーションを行う際に資料を表示させたりするためのアプリケーションプログラム（プレゼンテーションソフトウェア）が記憶されている。
【００７７】
ＯＳが起動した状態のコンピュータ１に対して、ユーザがプレゼンテーションソフトウェアの起動を指示すると、ＣＰＵ１１は、ハードディスクドライブ１７に記憶されているプレゼンテーションソフトウェアをＲＡＭ１４に読み出して、このプログラムに従って動作する。なお、コンピュータ１の画像出力端子１５ａには、外部の画像表示装置２（例えば、プロジェクタ）が接続されており、ビデオコントローラ１５は、ユーザのキー操作（Ｆｎ＋Ｆ８キーの操作）によって液晶ディスプレイ１６と画像表示装置２との双方に画像を表示させている状態（２画面表示状態）になっているものとする。ただし、本実施形態では、ポインタ制御ユーティリティは起動されておらず、Ｆｎ＋Ｆ８キーの操作に基づく２画面表示状態への移行によってポインタＰは拡大しない。
【００７８】
図１４及び図１５は、プレゼンテーションソフトウェアによって液晶ディスプレイ１６及び画像表示装置２に表示される画面を示す説明図である。
図１４に示すように、プレゼンテーションソフトウェアを起動させると、ＣＰＵ１１は、ビデオコントローラ１５に指示をして液晶ディスプレイ１６及び画像表示装置２に編集画面ＷＥを表示させる。編集画面ＷＥが表示された状態では、ユーザは、新たな資料を新規に作成したり、既存の資料を読み出して編集したりすることができる。編集画面ＷＥは、プログラムのタイトル等を表示するタイトルバーＢａの下に、メニューバーＢｂ、及びツールバーＢｃを備え、さらにその下方には、編集領域ＡＥを備えている。
【００７９】
メニューバーＢｂには、「ファイル」、「編集」、「スライドショー」等の項目名が並んでおり、キーボード２０やタッチパッド２１等によっていずれかの項目が選択されると、ＣＰＵ１１は、当該項目に関連する複数の動作処理の中から１つの処理を選択可能なメニュー（図示せず）を表示する。例えば、「ファイル」のメニューには、「新規作成」、「ファイルを開く」、「保存」、「印刷」、「終了」等の動作処理が含まれ、「編集」のメニューには、「切り取り」、「コピー」、「貼り付け」等の動作処理が含まれている。また、「スライドショー」のメニューには、後述するスライドショーを開始させるための「スライドショーの実行」や、スライドショーの動作条件等を設定するための「スライドショーの設定」等の動作処理が含まれている。ユーザがキーボード２０やタッチパッド２１等を操作して、当該メニューから１つの動作処理を選択すると、ＣＰＵ１１は、選択された動作処理を実行する。
【００８０】
ツールバーＢｃには、複数のアイコンが表示されている。各アイコンのそれぞれは、メニューバーＢｂにより選択可能な各種動作処理のうちのいずれか１つに関連付けられており、タッチパッド２１やマウス３０のクリック動作によりアイコンを選択するだけで当該動作処理を実行可能になっている。このため、ツールバーＢｃに表示されているアイコンは、比較的使用頻度の高い動作処理に関連付けられており、本実施形態のツールバーＢｃには、「スライドショーの実行」等のアイコンが含まれている。
【００８１】
編集領域ＡＥには、編集中の資料のうち、編集対象となるページ（スライド）Ｓが表示される。ユーザは、編集領域ＡＥに表示されているページＳに対して、文字や図形等の追加や修正、装飾等を行うことができる。
【００８２】
ユーザは、メニューバーＢｂから「スライドショーの実行」を選択したり、ツールバーＢｃに備わるアイコンのうち、「スライドショーの実行」に関連付けられたアイコンをクリック操作したりすることにより、スライドショーの開始を指示することができる。スライドショーとは、作成（編集）された資料をページ（スライド）単位で順次表示する機能であり、プレゼンテーションを行う際には、このスライドショーによって資料が聴衆に示される。
【００８３】
ユーザによりスライドショーの開始を指示する操作がなされて、ＣＰＵ１１がマウスドライバによってこの操作を検出すると、ＣＰＵ１１は、まずビデオコントローラ１５に指示をして、資料に含まれる最初のページＳ１を液晶ディスプレイ１６及び画像表示装置２の略全画面に表示させる（図１５参照）。さらに、ＣＰＵ１１は、ポインタＰに関するＯＳの設定を一時的に変更し、図１５に示すように、ポインタＰの大きさを拡大させる。具体的には、ＣＰＵ１１は、その時点でユーザにより設定されているポインタＰ１の情報を、ポインタ情報としてＲＡＭ１４に記憶させるとともに、設定されているポインタＰ１よりも大きなポインタＰ２を一時的に選択する。この結果、液晶ディスプレイ１６及び画像表示装置２の双方には、ユーザに設定されたポインタＰ１よりも大きなポインタＰ２が重畳表示される。
【００８４】
スライドショーの実行中、ＣＰＵ１１は、ユーザによって所定の操作（例えば、クリック操作）がなされる度に、次のページを表示させる。そして、最後のページを表示させている状態で上記の操作がなされて、ＣＰＵ１１がマウスドライバによってこの操作を検出すると、ＣＰＵ１１は、スライドショー（全画面表示）を終了させて編集画面ＷＥを表示させる。さらに、ＣＰＵ１１は、スライドショーの終了に伴って、ポインタＰの大きさを元の大きさ（ユーザに設定されている大きさ）に戻す設定をＯＳに施す。具体的には、ＣＰＵ１１は、ＲＡＭ１４に記憶されているポインタ情報を読み出して、このポインタ情報に基づくポインタＰをＯＳに設定する。この結果、表示されるポインタＰは、ユーザによって設定された大きさのポインタＰ１に復帰する（図１４参照）。
【００８５】
以上説明したように、本実施形態のコンピュータ１によれば、以下の効果を得ることができる。
【００８６】
（１）本実施形態のコンピュータ１によれば、スライドショーを開始させるための操作を検出した場合に、ポインタＰを拡大させるようにしているため、表示される画像（スライド）を、ポインティングデバイス（タッチパッド２１、或いはマウス３０）を操作するユーザ以外のユーザが見る場合において、ポインタの視認性を向上することが可能となる。
【００８７】
（２）本実施形態のコンピュータ１によれば、スライドショーを終了させるための操作を検出した場合に、ポインタＰの大きさを元に戻す（ポインタＰの拡大を解除する）ようにしているため、ユーザが自らポインタＰの設定を変更する必要がなくなる。
【００８８】
なお、本実施形態では、ポインタＰを含む画像を表示させる際のＣＰＵ１１及びビデオコントローラ１５が画像制御部に相当する。また、プレゼンテーションソフトウェアの機能によってポインタＰの大きさを変更する際のＣＰＵ１１がポインタ制御部に相当し、スライドショーの開始や終了を指示するための操作を検出する際のＣＰＵ１１が操作検出部に相当する。
【００８９】
また、本実施形態では、プレゼンテーションソフトウェアがＯＳの設定を変更することによりポインタＰの大きさを変更するようにしているが、この態様に限定されず、例えば、プレゼンテーションソフトウェアとは異なる常駐型のアプリケーションプログラムにスライドショーの開始や終了の操作を検出させて、当該アプリケーションプログラムにＯＳの設定（ポインタＰの大きさ）を変更させるようにしてもよい。
【００９０】
（変形例）
なお、前記実施形態は、以下のように変更してもよい。
【００９１】
前記第１〜第３実施形態では、ポインタＰを拡大することによってポインタＰを強調させ、ポインタＰの視認性を向上させているが、ポインタＰを強調させるためには、ポインタＰを拡大させる態様に限定されない。例えば、ポインタＰの色や模様、形状等を目立つものに切り替えるようにしてもよいし、色や模様、形状等が刻々と変化するアニメーション型のポインタに切り替えてもよい。
【００９２】
前記第１〜第３実施形態では、情報処理装置の例として、画像表示装置（液晶ディスプレイ１６）、入力装置（キーボード２０）、ポインティングデバイス（タッチパッド２１）を一体的に備えたノート型のパーソナルコンピュータについて説明したが、情報処理装置は、ノート型のパーソナルコンピュータに限定されない。例えば、デスクトップ型のパーソナルコンピュータのように、画像表示装置、入力装置、ポインティングデバイスの全部又は一部を外付けで備える構成の情報処理装置（コンピュータ）であってもよい。
【００９３】
前記第１〜第３実施形態では、外部の画像表示装置２としてプロジェクタを用いた例を示したが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等を用いることも可能である。
【００９４】
前記第１〜第３実施形態では、ポインティングデバイスとしてタッチパッド２１及びマウス３０を用いた例を示したが、トラックボールやジョイスティック、ペンタブレット等、他のポインティングデバイスを用いることも可能である。
【図面の簡単な説明】
【００９５】
【図１】第１実施形態のコンピュータを示す斜視図。
【図２】第１実施形態のコンピュータの回路構成を示すブロック図。
【図３】ポインタ制御ユーティリティに基づく動作処理を説明するためのフローチャート。
【図４】（ａ）、（ｂ）は、Ｆｎ＋Ｆ８キーが操作された場合の動作を説明するための説明図であり、液晶ディスプレイ及び外部の画像表示装置の表示状態を示す図。
【図５】第２実施形態のコンピュータを示す斜視図。
【図６】第２実施形態のコンピュータの回路構成を示すブロック図。
【図７】無線ＬＡＮ接続ツールに基づく動作処理を説明するためのフローチャート。
【図８】無線ＬＡＮ接続ツールに基づく動作処理を説明するためのフローチャート。
【図９】無線ＬＡＮ接続ツールに基づく動作処理を説明するためのフローチャート。
【図１０】無線ＬＡＮ接続ツールに基づく動作処理を説明するための説明図。
【図１１】無線ＬＡＮ接続ツールに基づく動作処理を説明するための説明図。
【図１２】無線ＬＡＮ接続ツールに基づく動作処理を説明するための説明図。
【図１３】（ａ）〜（ｄ）は、無線ＬＡＮ接続ツールに基づく動作処理を説明するための説明図。
【図１４】プレゼンテーションソフトウェアによって液晶ディスプレイ及び画像表示装置に表示される画面を示す説明図。
【図１５】プレゼンテーションソフトウェアによって液晶ディスプレイ及び画像表示装置に表示される画面を示す説明図。
【符号の説明】
【００９６】
１…コンピュータ、２…外部の画像表示装置、１１…ＣＰＵ、１２…ノースブリッジ、１３…サウスブリッジ、１３ａ…ＵＳＢ端子、１４…ＲＡＭ、１５…ビデオコントローラ、１５ａ…画像出力端子、１６…液晶ディスプレイ、１７…ハードディスクドライブ、１８…光ディスクドライブ、１９…ＢＩＯＳ−ＲＯＭ、２０…キーボード、２１…タッチパッド、３０…マウス、４０…無線ＬＡＮデバイス、Ｐ，Ｐ１，Ｐ２…ポインタ、Ｗ１…モード選択画面、Ｗ２…接続画面、Ｗ３…ツールバー、ＷＥ…編集画面。
【図１】
2009109936.tif 000003
【図２】
2009109936.tif 000004
【図３】
2009109936.tif 000005
【図４】
2009109936.tif 000006
【図５】
2009109936.tif 000007
【図６】
2009109936.tif 000008
【図７】
2009109936.tif 000009
【図８】
2009109936.tif 000010
【図９】
2009109936.tif 000011
【図１０】
2009109936.tif 000012
【図１１】
2009109936.tif 000013
【図１２】
2009109936.tif 000014
【図１３】
2009109936.tif 000015
【図１４】
2009109936.tif 000016
【図１５】
2009109936.tif 000017